(57)【要約】【課題】  乾式遮音二重床の遮音性能を高度に確保しながら、高度な耐荷重性能を確保する。【解決手段】  防振ゴム１の内部中央位置に上下方向に設けた保形用の円筒状の穿孔３が内側に凹嵌の凹嵌面２を配置したものとすることによって、床荷重による防振ゴムの圧縮膨張を阻止して、高度の保形性を発揮したことで、防振性を高めるために、防振ゴム１の硬度を６５度以下に低下させることが可能となった。【選択図】  図２
2005030182.tif 000002
【特許請求の範囲】
【請求項１】
床スラブに対して防振ゴムを介して床下地を浮かして支持する高耐荷重性と高防振性を兼ね具えた床支持脚用の防振ゴムで、上記防振ゴムの内部中央位置に上下方向に向けた保形用の円筒状の穿孔が内側に凹嵌の凹嵌面を備えてなることを特徴とする高耐荷重性と高防振性を兼ね具えた床支持脚用の防振ゴム。
【請求項２】
上記防振ゴムのゴム硬度を、６５度程度以下と軟らかくしてなることを特長とする請求項  １、２  に記載の高防振性と高耐荷重性を兼ね具えた床支持脚用の防振ゴム。
【発明の詳細な説明】
【発明の詳細な説明】
【技術分野】
【０００１】  本発明は、マンション等の各種建築物の床スラブ上に床下地を設置するに用いる床支持脚に関し、高耐荷重性と高防振性を兼ね具えた床支持脚用の防振ゴムに関する。
【背景技術】
【０００２】  この種の床工法は、防振ゴム装着した支持脚を介し繊維板等の床パネルを床スラブ上に施設して形成する乾式遮音二重床（置床とも言われる）が用いられているが、階下への防振性能を重視した結果、該支持脚の防振ゴム硬度を６０〜６５度と軟質系を用いたり、該防振ゴム下部に高さ１〜６ｍｍ直径１〜５ｍｍ位の複数個のリブや、突起等を形成させて床スラブとの接触面積を小さくしたり、台形や円筒型のもの、更に逆円錐体状の防振ゴムを用いて外形側面を内側に凹嵌の凹嵌面を備えを備え、且つ防振ゴムの内部中央位置に上下方向に向けた保形用の円筒状の穿孔されているものもあるが、床敷設後３〜４ヶ月乃至１年位で該防振ゴ厶に潰れやへたりがおきる。その結果、家具等の備品の荷重や人の歩行等による加重で床が歪み、家具備品が揺れたり、床鳴りが発生している。
【発明が解決しようとする課題】
【０００３】  この場合相当程度の防振性能と耐荷重性が同時に確保し得ることが求められている。
【０００４】  この場合、床支持脚の防振性は防振ゴムの性能に依るので、床衝撃振動を吸収し易くするのに、ゴム硬度を低下させ軟質化させてしまうと、防振性は向上するが、床支持脚の防振ゴムが変形し潰れ易くなり、床の剛性が損なわれ、床として必要な剛性が損なわれ、結果床剛性を保持しながら防振性の実現は困難とされる。
【０００５】  本発明はかかる事情に鑑みてなされたもので、その解決課題とするところは、高度の防振性を確保しながら、可及的高度な床剛性を確保し得るようにした床支持脚用の防振ゴムを提供することにある。
【問題を解決解決するための手段】
【０００６】  上記課題にそって研究の結果、上記防振ゴムの内部中央位置に上下方向に設けた保形用の円筒状の穿孔が内側に凹嵌の凹嵌面を配置したものとすることにより、▲１▼床荷重による防振ゴ厶の圧縮膨張をより阻止して、高度の保形性を発揮したことで、▲２▼防振性を高めるために、更に必要に応じ防振ゴムの硬度を６５度以下に低下させることが可能となるとの知見を得た。
本発明はかかる知見に基づきなされたもので、請求事項１記載の発明は、床スラブに対して防振ゴムを介して床下地を浮かして支持する床支持脚用の防振ゴムで、上記防振ゴムの外側形状が内側に凹嵌の凹嵌面を備えたブロック形状となっているものに加えて、更に上記防振ゴムの内部中央位置に上下方向に向けた保形用の円筒状の穿孔が、内側に凹嵌の凹嵌面を備えてなることを特徴とする高耐荷重性と高防音性を兼ね具えた床支持脚用の防振ゴムである。
【０００７】  請求事項２記載の発明は、上記に加え、上記▲２▼の防振ゴ厶の硬度を下げて防振性能を高めて、床支持脚の防振性能を高度に発揮しうるものとし、上記防振ゴムの硬度を６５度程度以下としても、高耐荷重性を発揮出来得ることを特徴とした請求事項１又は２記載の高耐荷重性と高防振性を兼ね具えた床支持脚用の防振ゴムとした。
【発明を実施するための最良の形態】
【０００８】  以下図面の例に従い本発明を更に具体的に説明すれば、図１乃至図２において、該防振ゴム１は、防振ゴムの外側形状が内側に凹嵌の凹嵌面を備えたブロック形状で、上記防振ゴムの内部中央位置に上下方向に向けた保形用の円筒状の内側に凹嵌の凹嵌面２を備えた穿孔３を配置したものとしてあり、本例において該防振ゴム１は、そのブロック形状を上面と底面を同じ直径としたものとしてある。【０００９】  即ち本例の防振ゴム１は、例えば天然ゴム系に合成ゴム系を所定量混合した防振ゴムで、床荷重を受けることによる圧縮変形し難いものを使用し鼓形のブロック形状をなすように、例えば成型によって形成したものとしてあり、このとき該防振ゴム１は、本例にあっては内側に凹嵌の凹嵌面を備えたブロック形状で、上記防振ゴムの内部中央位置に上下方向に向けた保形用の円筒状の内側に凹嵌の凹嵌面２を備えた穿孔３を配置したものとしてある。【００１０】  本例の防振ゴム１は、例えば上面及び下面の径を３．５ｃｍ乃至４ｃｍ程度、高さを２．５ｃｍ程度のもので、また外周の上下方向全体を内側に凹嵌する凹嵌面を配置し、６乃至１０ｃｍ程度の半径の真円の円弧面をなすようにし、本例では上面及び下面の径を４ｃｍ程度とし、円弧面は８ｃｍの半径をなすようにした。【００１１】  また上記保形用の穿孔３は、円筒状の内側に凹嵌の凹嵌面３を備えた配置としたものとしてあり、例えば穿孔の上及び下の径を１．８乃至２．５ｃｍ程度、本例にあっては、１．８ｃｍ程度とし、円筒状の内側の凹嵌面に円弧面２を配置し、６乃至１０ｃｍ程度の半径の真円の円弧面をなすようにし、本例にあっては８ｃｍ程度とし、穿孔の深さ、即ち底面からの高さを１．６乃至２．０ｃｍ程度としてあり、本例にあっては１７．５ｃｍ程度とし、穿孔３は、上端に，ボルトの埋め込み用の径の７乃至８ｍｍの受穴４を配置し、本例にあっては７．７ｍｍ程度とし、穿孔３の上端と連通したものとしてあり、連通により穿孔の効果を損なうことのないようにしてある。【００１２】  該防振ゴム１のゴム硬度は、６５度−３度程度とし、本例にあっては、成型により６２度程で形成されたものに、面加重を負荷しその撓み量の測定結果、５０ｋｇｆの加重負荷で２．２ｍｍ、１００ｋｇｆの加重負荷で３．２ｍｍ、２００ｋｇｆの加重負荷で８．２ｍｍで，耐圧縮性能の極めて高いことが確認され、高耐荷重性を十二分に満たした床支持脚の防振ゴムであることが確認されるものとなった。【００１３】  該防振ゴムのゴム硬度は、一般的に６５度程度以下のゴム硬度では耐荷重性能が損なわれ使用上不適当であるが、上記防振ゴム１は成型により成形された６２度程と極めて軟らかいが、極めて高い耐荷重性が確保されており、防振ゴムの硬度を低下させて軟質化することで振動吸収力が高まり、床支持脚用の防振ゴムとして極限的な高防振性をそなえたものとなり、マンション等で使用されている乾式遮音二重床の床支持脚用の防振ゴムとして最適なものとなった。【００１４】  図示した例は以上のとおりとしたが、該防振ゴムのブロック形状を、円錐、角錐、多角錐、台形等にし、荷重を受ける上面及びコンクリートスラブに接触する下面を接線状又は点線状とするなど、各具体的形状、構造、寸法���材質、これらの関係、これらに対する付加等は、上記発明の要旨に反しない限り、様々の形態とすることが出来る。
【発明の効果】
【００１５】  本発明は以上のとおりに構成したから、請求項１の発明は、防振ゴムの内部中央位置に上下方向に向けた保形用の円筒状の穿孔が、内側に凹嵌の凹嵌面を備えことで、床加重に対する圧縮膨張を阻止して、その保形性を確保する保形作用を発揮すること、▲２▼このため必要に応じて防振ゴムのゴム硬度を低下することで、防振性の向上と床剛性の確保の両立を行い、高度の床剛性を損なうことなく、可及的高度の防音を確保し得るようにした防振用の床支持脚用の防振ゴムを提供することが出来る。
【００１６】  請求項２に記載の発明は、上記に加えて、上記▲２▼の防振ゴムのゴム硬度を低下して、防振ゴムの防振性能を高度化し、床支持脚の防振性を可及的高度に発揮し得るものとすることができる。
【図面の簡単な説明】
【００１７】
【図１】床支持脚用の防振ゴムの一部切欠斜視図である。
【図２】防振ゴムの拡大縦断面図である。
【符号の説明】
【００１８】１  防振ゴム
２  凹嵌面
３  穿孔
４  ボルトの埋め込み用の受穴
【図１】
2005030182.tif 000003
【図２】
2005030182.tif 000004